(57)【特許請求の範囲】
【請求項１】
魚釣りに用いる釣竿であって、竿体と、前記竿体の周面に固定され釣糸を導く複数のラインガイドと、前記ラインガイドとラインガイドとの間の前記竿体の周面に、取り外し可能に設けられた糸付着防止部材と、を備えた釣竿。
【請求項２】
リールの釣糸を竿体内部に挿通させることが可能な釣竿であって、釣糸が挿通する釣糸挿通通路を内部に有する竿体と、前記竿体の周面に形成され前記リールからの釣糸を前記釣糸挿通通路に導入するための釣糸導入孔と、前記リールと前記釣糸導入孔との間の前記竿体周面に、取り外し可能に設けられた糸付着防止部材と、を備えた釣竿。
【請求項３】
前記糸付着防止部材は、螺旋状のコイルスプリングと、前記コイルスプリングの両端に前記竿体に取り外し可能に設けられた装着部とを有している、請求項１または２に記載の釣竿。
【請求項４】
前記螺旋状のコイルスプリングは形状記憶合金製部材である、請求項３に記載の釣竿。
【請求項５】
前記糸付着防止部材は、筒状のネット部材と、前記ネット部材の軸方向の両端部に前記竿体に取り外し可能に設けられた装着部とを有している、請求項１または２に記載の釣竿。
【請求項６】
前記糸付着防止部材は、弾性を有し軸方向にスリットの形成された周面上に凸部を有する筒状のパイプ部材である、請求項１または２に記載の釣竿。
【請求項７】
前記糸付着防止部材は、弾性を有し軸方向にスリットの形成された一対のリング部材と、前記一対のリング部材を連結する複数の弾性部材である、請求項１または２に記載の釣竿。
【請求項８】
魚釣りに用いる釣竿であって、竿体と、前記竿体の周面に固定され釣糸を導く複数のラインガイドと、前記ラインガイドとラインガイドとの間の前記竿体周面に伸縮自在に設けられたコイルスプリングと、前記コイルスプリングの一端に設けられ前記コイルスプリングの一端を前記竿体周面に固定する固定部材と、前記コイルスプリングの他端に設けられ前記コイルスプリングを軸方向に延伸した状態で係止する取り外し可能な係止部材と、を備えた釣竿。
【請求項９】
リールの釣糸を竿体内部に挿通させることが可能な釣竿であって、釣糸が挿通する釣糸挿通通路を内部に有する竿体と、前記竿体の周面に形成され前記リールからの釣糸を前記釣糸挿通通路に導入するための釣糸導入孔と、前記リールと前記釣糸導入孔との間の前記竿体周面に、伸縮自在に設けられたコイルスプリングと、前記コイルスプリングの一端に設けられ前記コイルスプリングの一端を前記竿体周面に固定する固定部材と、前記コイルスプリングの他端に設けられ前記コイルスプリングを軸方向に延伸した状態で係止する取り外し可能な係止部材と、を備えた釣竿。
【請求項１０】
釣竿の周面に取り外し可能に取り付けられる糸付着防止部材であって、螺旋状のコイルスプリングと、前記コイルスプリングの両端に前記竿体に取り外し可能に設けられた装着部と、を備えた糸付着防止部材。
【請求項１１】
前記螺旋状のコイルスプリングは形状記憶合金製部材である、請求項１０に記載の糸付着防止部材。
【請求項１２】
釣竿の周面に取り外し可能に取り付ける糸付着防止部材であって、筒状のネット部材と、前記ネット部材の軸方向の両端部に前記竿体に取り外し可能に設けられた装着部と、を備えた糸付着防止部材。
【請求項１３】
釣竿の周面に取り外し可能に取り付ける糸付着防止部材であって、弾性を有し、軸方向にスリットの形成された周面上に凸部を有する筒状のパイプ部材を備えた、糸付着防止部材。
【発明の詳細な説明】
【０００１】
【発明の属する技術分野】
本発明は、竿体の周面に釣糸がべた付くのを抑える部材、及びこれを備えた釣竿に関する。
【０００２】
【従来の技術】
従来の釣竿には、竿体の周面に螺旋状に凸部を設けたものがある。これは、竿体の周面に水が付着した場合に釣糸が竿体周面にべたつかないように、竿体周面と釣糸との境界に隙間を設けるように処理を施したものである。
【０００３】
【発明が解決しようとする課題】
しかし、このように竿体の周面に凸部を設けるには別途製造工程が必要となり、コストの上昇や製造の複雑化を招く。また、竿体の周面に凸部を設けると、平滑的な外観の美しさが演出できず意匠性に乏しい。
さらに、竿体周面の凸部は、例えば、降雨時や波しぶきをかぶるような場所で釣りを行う場合など、竿体の周面に水が付着するような環境で釣りを行う場合に必要とされるものであり、それ以外の環境では特に必要とされないものである。つまり、常時竿体周面に設けておく必要も乏しいものである。
【０００４】
本発明の課題は、必要に応じて竿体に装着でき、釣糸が竿体にべた付くのを防止する糸付着防止部材及び釣竿を提供することにある。
【０００５】
【課題を解決するための手段】
発明１に係る釣竿は、魚釣りに用いる釣竿であって、竿体と、竿体の周面に固定され釣糸を導く複数のラインガイドと、ラインガイドとラインガイドとの間の竿体の周面に取り外し可能に設けられた糸付着防止部材とを備えている。
この場合には、例えば、降雨時のように釣糸が竿体周面にべた付く恐れがある場合、糸付着防止部材をラインガイドとラインガイドとの間の竿体の周面に取りつけて、竿体周面に凸部を形成する。この凸部が平滑な竿体周面と釣糸との間に隙間を形成して釣糸のべたつきを抑える。この結果、必要に応じて釣糸のべたつきを有効に防止できる。
【０００６】
また、竿体の周面自体は平滑な状態であり、竿体周面に様々なデザインを施すことができ意匠性も向上する。さらに、様々な色，模様を付した糸付着防止部材を取り付ければ、ユーザの好みに合わせて釣竿のデザインを演出できる。
発明２に係る釣竿は、リールの釣糸を竿体内部に挿通させることが可能な釣竿であって、釣糸が挿通する釣糸挿通通路を内部に有する竿体と、竿体の周面に形成されリールからの釣糸を釣糸挿通通路に導入するための釣糸導入孔と、リールと釣糸導入孔との間の竿体周面に、取り外し可能に設けられた糸付着防止部材とを備えている。
【０００７】
この場合には、必要に応じて、中通し竿のリールと釣糸導入孔との間の竿体周面に糸付着防止部材を取り付けて竿体周面に凸部を設ける。そして、釣糸が竿体周面にべたつくのを抑える。
発明３に係る釣竿は、発明１または２の釣竿であって、糸付着防止部材は、螺旋状のコイルスプリングと、コイルスプリングの両端に竿体に取り外し可能に設けられた装着部とを有している。
【０００８】
この場合には、装着部により竿体周面に固定されたコイルスプリングが、竿体周面と釣糸との間に隙間を生じさせて、釣糸のべた付きを抑える。
発明４に係る釣竿は、発明３の釣竿であって、螺旋状のコイルスプリングは形状記憶合金製部材である。
この場合には、コイルスプリングが形状記憶合金製であり容易に伸縮，変形するので、竿体への脱着がより容易になる。
【０００９】
ここで、形状記憶合金とは、変質温度を有しこの変質温度より温度の低い環境では弾力性を有さず一定の形状で固化しており、変質温度より温度が高い環境では弾力性を得て設定した所定の形状に復元する超弾性を有する金属である。変質温度を常温程度に設定しておけば、釣竿を常温で用いる場合、コイルスプリングは超弾性を有し、容易に伸縮，変形する。
【００１０】
発明５に係る釣竿は、発明１または２の釣竿であって、糸付着防止部材は、筒状のネット部材と、ネット部材の軸方向の両端部に竿体に取り外し可能に設けられた装着部とを有している。
この場合には、必要に応じて、筒状のネット部材を竿体周面に固定して、竿体周面と釣糸との間に隙間を生じさせて釣糸のべた付きを抑える。特に、ネット部材が目の細かい凸部を竿体周面に形成するので、釣糸のべたつきが有効に抑えられる。ここで用いるネット部材は、脱着の容易性を考慮すると、伸縮性に富むネット部材を用いることが好ましい。
【００１１】
発明６に係る釣竿は、発明１または２の釣竿であって、糸付着着防止部材は、弾性を有し軸方向にスリットの形成された周面上に凸部を有する筒状のパイプ部材である。この場合には、周面上に凸部を有する筒状のパイプ部材を軸方向にスリットの形成されている部分から竿体にワンタッチで脱着できる。発明７に係る釣竿は、発明１または２の釣竿であって、糸付着防止部材は、弾性を有し軸方向にスリットの形成された一対のリング部材と、一対のリング部材を連結する複数の弾性部材である。
【００１２】
この場合には、一対のリング部材を軸方向にスリットの形成されている部分から竿体にワンタッチで装着する。そして一対のリング部材を所定の間隔に広げて弾性部材を延伸させた後、一対のリング部材を竿体周面上で互いにねじって、弾性部材が竿体周面上で螺旋を形成するように変形させる。そして、竿体周面と釣糸との間に螺旋状の隙間が形成して釣糸のべた付きを有効に抑える。
【００１３】
なお、リング部材を互いにねじらず、弾性部材を螺旋状に配置しなくとも釣糸のべたつきは抑えられるが、螺旋を形成すると釣糸のべたつき防止効果がより向上する。発明８に係る釣竿は、魚釣りに用いる釣竿であって、竿体と、竿体の周面に固定され釣糸を導く複数のラインガイドと、ラインガイドとラインガイドとの間の竿体周面に伸縮自在に設けられたコイルスプリングと、コイルスプリングの一端に設けられコイルスプリングの一端を竿体周面に固定する固定部材と、コイルスプリングの他端に設けられコイルスプリングを軸方向に延伸した状態で係止する取り外し可能な係止部材とを備えている。
【００１４】
この場合には、通常、コイルスプリングが収縮したコンパクトな状態で竿体周面に固定されている。そして、釣糸が竿体周面にべた付きやすい、例えば、降雨時等の環境においては、コイルスプリングを軸方向に延伸した状態で竿体周面に係止する。この結果、必要に応じて竿体周面と釣糸との間に隙間を形成できるので、べたつきが有効に抑えられる。
【００１５】
発明９に係る釣竿は、リールの釣糸を竿体内部に挿通させることが可能な釣竿であって、釣糸が挿通する釣糸挿通通路を内部に有する竿体と、竿体の周面に形成されリールからの釣糸を釣糸挿通通路に導入するための釣糸導入孔と、リールと釣糸導入孔との間の竿体周面に伸縮自在に設けられたコイルスプリングと、コイルスプリングの一端に設けられコイルスプリングの一端を竿体周面に固定する固定部材と、コイルスプリングの他端に設けられコイルスプリングを軸方向に延伸した状態で係止する取り外し可能な係止部材とを備えている。
【００１６】
発明１０に係る糸付着防止部材は、釣竿の周面に取り外し可能に取り付けられる糸付着防止部材であって、螺旋状のコイルスプリングと、コイルスプリングの両端に竿体に取り外し可能に設けられた装着部とを備えている。
発明１１に係る糸付着防止部材は、発明１０の部材であって、螺旋状のコイルスプリングは形状記憶合金製部材である。
【００１７】
発明１２に係る糸付着防止部材は、釣竿の周面に取り外し可能に取り付ける糸付着防止部材であって、筒状のネット部材と、ネット部材の軸方向の両端部に竿体に取り外し可能に設けられた装着部とを備えている。発明１３に係る糸付着防止部材は、釣竿の周面に取り外し可能に取り付ける糸付着防止部材であって、弾性を有し軸方向にスリットの形成された周面上に凸部を有する筒状のパイプ部材を備えている。
【００１８】
【実施の形態】
［第１実施形態］
以下、本発明の第１実施形態について、図面を参照しつつ説明する。
図１に示すように、本発明の第１実施形態を採用した釣竿は、竿体１と、竿体１の周面に設けられた複数のラインガイド２と、竿体１の穂先側先端に設けられたトップガイド３と、竿体１の竿尻側端部に設けられたグリップ４と、グリップ４よりやや穂先側の外周面に設けられリール５が装着されるリールシート６とを有している。そして、ラインガイド２と他のラインガイド２との間の竿体１の周面には、糸付着防止部材１０が装着されている。
【００１９】
この竿体１は、炭素繊維等の強化繊維に樹脂を含浸させたシート状のプリプレグをマンドレルに巻回して成型されたものであり、先端が細いテーパ状であって筒状のものである。また、グリップ４は、竿体１の竿尻にはめ込まれ、接着剤で接着された蓋付き円筒型部材であり、例えば、ウレタンゴム等のゴム系弾性体やアクティマー（商標）等のスチレンブロック共重合体系熱可塑性樹脂製の部材である。
【００２０】
ラインガイド２は、図２に示すように、セラミック製のリング２１と、リング２１を保持するフレーム２２とを備えている。フレーム２２の一端部は竿体１の周面に当接するように折り曲げて形成されており、この折り曲げて形成された部分と竿体１との外周を強化糸２３で巻回してラインガイド２は竿体１に固定されている。そして、リールからの釣糸Ｌは、竿元側から穂先側にラインガイド２を順次通って、穂先側のトップガイド３に導かれる。
【００２１】
図２に示すように、糸付着防止部材１０は、コイルスプリング１１と、コイルスプリング１１の両端部にそれぞれ接続された輪状部材である装着リング１２と有している。
コイルスプリング１１は弾力性を有する螺旋状部材である。例えば、ポリブタジエン，ポリイソプレン等の合成樹脂や、Ｔｉ−Ｎｉ合金等の超弾性を有する形状記憶合金から製造される。装着リング１２も弾力性を有するゴム等からなる部材であって、竿体１にはめ込んで固定できるようにスリット部１２ａが形成されている。
【００２２】
このように構成された釣竿は、晴天時等のように釣糸Ｌのべたつきを考慮する必要がない場合では、糸付着防止部材１０を竿体１に取り付けずに用いる。そして、降雨時などのように釣糸Ｌが竿体１にべた付きやすい場合は、以下のようにして、糸付着防止部材１０をラインガイド２とラインガイド２との間の竿体１の周面に装着する。
【００２３】
まず、図３（ａ）に示すように、一方の装着リング１２をスリット部１２ａの部分を広げながら竿体１にはめ込む。そして、コイルスプリング１１を竿体１の周面に沿って螺旋状に巻回する。コイルスプリング１１をすべて巻回した後に、図３（ｂ）に示すように、他方の装着リング１２を竿体１にはめ込んで、糸付着防止部材１０を竿体１の周面に装着する。
【００２４】
以上のように、本発明の第１実施形態を採用した釣竿では、必要に応じて竿体１の周面に装着したコイルスプリング１１が、平滑な竿体１の周面に凸部を形成し、竿体１の周面と釣糸Ｌとの間に隙間を形成するので、釣糸Ｌが竿体１の周面に触れてべたつくのを有効に防止できる。また、糸付着防止部材１０は取り外し可能に竿体１に装着されており、不要時には竿体１から取り外して収納しておくことができる。
【００２５】
さらに、竿体１の周面自体は平滑的な状態であり、様々なデザインを施すことができ意匠性も向上する。さらにまた、様々な色，模様を付した糸付着防止部材１０を取り付ければ、ユーザの好みに合わせて釣竿のデザインを演出できる。
［第２実施形態］
以下、本発明の第２実施形態について、図面を参照しつつ説明する。
【００２６】
図４に示すように、本発明の第２実施形態を採用した中通し竿は、複数の竿体から成り小径に形成された穂先側の竿体から順次竿元側の竿体へ収納可能な内部竿体４１と、内部竿体４１が挿入され収納可能なように内部竿体４１の竿元側に連結された外部竿体４２とを有している。さらに、この中通し竿は、内部竿体４１の穂先側先端に配置されたトップガイド４３と、外部竿体４２の竿元側端部に配置されたグリップ４４と、グリップ４４の穂先側に設けられリール４５を装着するリールシート４６とを有している。
【００２７】
外部竿体４２及び内部竿体４１は、それぞれ炭素繊維強化樹脂製のプリプレグをマンドレルに巻回し焼成して得られた先細り筒状部材であり、内部にそれぞれ釣糸挿通通路（図示せず）を有している。また、外部竿体４２の穂先側外周面には、釣糸Ｌを釣糸挿通通路に導入するための釣糸導入孔４７が設けられている。そして、リール４５からの釣糸Ｌは、釣糸導入孔４７とを通って釣糸挿通通路へ挿通され、トップガイド４３から外部へ導かれている。
【００２８】
外部竿体４２の釣糸導入孔４７とリール４５との間には、糸付着防止部材５０が装着されている。この糸付着防止部材５０は、図５に示すように、筒状に形成されたネット５１と、ネット５１の軸方向の両端部にそれぞれ設けられた装着リング５２とを有している。ネット５１は伸縮自在なゴム状の繊維から形成されており、装着リング５２も進出自在なゴム部材である。
【００２９】
このように構成された中通し竿では、晴天時等のように釣糸Ｌのべたつきを考慮する必要がない場合では、糸付着防止部材５０を外部竿体４２に装着せずに用いる。そして、降雨時などのように釣糸Ｌが外部竿体４２の周面にべた付きやすい場合は、糸付着防止部材５０を引き延ばして広げて、釣竿の穂先側もしくは竿元側から所定の位置に装着する。
【００３０】
以上のように、本発明の第２実施形態を採用した中通し竿では、第１実施形態と同様の作用効果を奏する。
［第３実施形態］
以下、本発明の第３実施形態について、図面を参照しつつ説明する。
本発明の第３実施形態を採用した釣竿は、竿体１の周面上のガイドリング２とガイドリング２との間に、図６に示すような、パイプ部材（糸付着防止部材）６０が装着されている。
【００３１】
パイプ部材６０は、図６（ａ）に示すように、軸方向にスリット部６１ａが形成されたパイプ状の本体部６１と、本体部６１の周面上に輪状に設けられた複数の凸部６２とを有している。本体部６１は、弾性を有する合成樹脂製部材であり、スリット部６１ａから竿体１へはめ込むことができ、竿体１に対して脱着可能になっている。凸部６２は、例えば、本体部６１の周面にスクリーンインクで凸部を描いた後にインクを乾燥して形成できる。また、本体部６１と一体成形することも可能である。
【００３２】
なお、その他の構成は第１実施形態と同様であり、説明を省略する。
このように構成された釣竿では、晴天時等のように釣糸Ｌのべたつきを考慮する必要がない場合では、パイプ部材６０を竿体１に装着することなく用いる。そして、降雨時のように釣糸Ｌが竿体１の周面にべた付きやすい場合は、図６（ａ）及び（ｂ）に示すように、パイプ部材６０を竿体１の所定の位置にはめ込む。この結果、第１実施形態と同様の作用効果を奏する。
［第４実施形態］
以下、本発明の第４実施形態について、図面を参照しつつ説明する。
【００３３】
本発明の第４実施形態を採用した釣竿は、図７（ａ）に示すように、竿体１の周面上の２つのガイドリング２の間に装着されたコイルスプリング７０と、竿体１の周面上に形成され竿体１と一体成形された突起部１ａとを有している。コイルスプリング７０は、伸縮自在な弾性部材からなる螺旋状のコイル部７１と、コイル部７１の一端に設けられコイル部７１を一端側で竿体１に固定する固定リング７２と、コイル部７１の他端に設けられた係止リング７３とを有している。
【００３４】
なお、その他の構成は第１実施形態と同様であり、説明を省略する。
このように構成された釣竿では、晴天時等のように釣糸Ｌのべたつきを考慮する必要がない場合は、図７（ａ）に示すように、コイル部７１は固定リング７２側に小さく縮まったままの状態で竿体１に固定されている。そして、降雨時等のように釣糸Ｌのべたつきを防止する必要がある場合は、図７（ｂ）に示すように、コイル部７１を軸方向延伸して係止リング７３を突起部１ａに係止する。延伸されたコイル部７１は竿体１の周面上に凸部を形成し、釣糸Ｌがべた付くのを抑える。
【００３５】
以上のように、本発明の４実施形態を採用した釣竿は、第１実施形態と同様の作用効果を奏する。さらに、コイルスプリング７０をワンタッチで伸縮させて容易にべたつきを防止できる。
［第５実施形態］
以下、本発明の第５実施形態について、図面を参照しつつ説明する。
【００３６】
本発明の第５実施形態を採用した釣竿は、図８（ｂ）に示すように、竿体１の周面上のガイドリング２とガイドリング２との間に装着された糸付着防止部材８０を有している。糸付着防止部材８０は、スリット部８２ａが形成された一対のリング部材８２と、リング部材８２とリング部材８２との間に掛け渡された複数の糸状弾性部材８１とを有している。
【００３７】
このように構成された釣竿では、晴天時等のように釣糸Ｌのべたつきを考慮する必要がない場合は、糸付着防止部材８０を竿体１に装着せずに用いる。一方、降雨時のように釣糸Ｌが竿体１の周面にべた付きやすい場合は、図８（ａ）に示すように、まず、リング部材８２を竿体１の所定の位置にはめ込む。そして、はめ込んだ一対のリング部材８２を竿体１の周面上で互いに反対方向に回転させて、弾性体８１を螺旋状にねじって竿体１の周面上に配置する。
【００３８】
以上のように、本発明の第５実施形態を採用した釣竿によれば、第１実施形態と同様の作用効果を奏する。また、糸付着防止部材８０を竿体１に取り付けていない場合は、コンパクトな状態にしてしまっておくことができ、持ち運びが容易になる。
【００３９】
【発明の効果】
本発明によれば、必要に応じて竿体に装着でき、釣糸が竿体にべた付くのを有効に防止する糸付着防止部材を得ることができる。
【図面の簡単な説明】
【図１】本発明の第１実施形態を採用した釣竿の全体図。
【図２】図１の竿体の一部の拡大図。
【図３】竿体に糸付着防止部材を装着している状態（ａ）と装着後（ｂ）の竿体の拡大図。
【図４】本発明の第２実施形態を採用した中通し竿の全体図。
【図５】図４の竿体の一部の拡大図。
【図６】本発明の第３実施形態を採用した釣竿の糸付着防止部材装着前（ａ）と装着後（ｂ）との竿体付近の拡大図。
【図７】本発明の第４実施形態を採用した釣竿のコイルスプリング延伸前（ａ）と延伸後（ｂ）との竿体付近の拡大図。
【図８】本発明の第５実施形態を採用した釣竿の糸付着防止部材装着前（ａ）と装着後（ｂ）との竿体付近の拡大図。
【符号の説明】
１  竿体
２  ラインガイド
１１，７０  コイルスプリング
１２，５２  装着リング
４１  内部竿体
４２  外部竿体
４７  釣糸導入孔
５１  ネット
６０  パイプ部材
８１  弾性部材
８２  リング部材
【図１】
0003877094.tif 000002
【図２】
0003877094.tif 000003
【図３】
0003877094.tif 000004
【図４】
0003877094.tif 000005
【図５】
0003877094.tif 000006
【図６】
0003877094.tif 000007
【図７】
0003877094.tif 000008
【図８】
0003877094.tif 000009